(57)【要約】      （修正有）【課題】非常に簡易で、効果的であり且つ安価なペーパーログ切断機械の切断手段を冷却する装置を提供する。【解決手段】切断手段を包囲するチャネル６０を有し、チャネルへ冷却流体が注入され、冷却流体がチャネルの内部に封止されるようにした、ペーパーログ切断機械の切断手段を冷却する装置であって、切断手段が所定径路に沿って移動し、冷却装置はチャネル６０を有し、チャネル６０が切断手段を包囲し、切断手段の軌道を包囲する封止空間を画定し、切断手段が、軌道刃４を有し、チャネル６０が、軌道刃４が移動する軌道を包囲し、冷却流体が、空気冷却ユニットからの空気であり、冷却流体は、多数のスリーブによりチャネル６０内へ注入され、多数のスリーブは、冷却ユニットへそれぞれの導管によって接続されることを特徴とする。【選択図】図２
0003182984.tif 000002
【実用新案登録請求の範囲】
【請求項１】
切断手段を包囲するチャネル（６０）を有し、前記チャネルへ冷却流体が注入され、該冷却流体が前記チャネルの内部に封止されるようにした、ペーパーログ切断機械の切断手段を冷却する装置であって、該切断手段が所定径路に沿って移動し、該冷却装置はチャネル（６０）を有し、該チャネル（６０）が切断手段を包囲し、該切断手段の軌道を包囲する封止空間を画定し、前記切断手段が、軌道刃（４）を有し、前記チャネル（６０）が、前記刃（４）が移動する軌道を包囲し、該冷却流体が、空気冷却ユニット（７）からの空気であり、該冷却流体は、多数のスリーブ（７０）によりチャネル（６０）内へ注入され、該多数のスリーブ（７０）は、該冷却ユニット（７）へそれぞれの導管（７１）によって接続されることを特徴とする装置。
【請求項２】
前記軌道刃（４）の一部（４０）が、冷却されたチャネル型空間（６０）内を常に移動することを特徴とする請求項１に記載の装置。
【請求項３】
前記チャネル（６０）が、構造体（６）によって構成され、該構造体（６）は、前記刃（４）が移動する軌道に対して平行に配向する２つの側壁体（６１）と、ログが切断準備にある領域に対応して中断される周縁エッジ部（６２）と、側壁体（６１）のそれぞれの内側にある付属体（６３）を有することを特徴とする請求項１に記載の装置。
【請求項４】
前記チャネル（６０）が、冷却流体のための出口部分を有することを特徴とする請求項１に記載の装置。
【考案の詳細な説明】
【技術分野】
【０００１】
本考案は、ペーパーログ切断機械の切断手段を冷却する装置に関する。
【背景技術】
【０００２】
ログ切断機械が、ペーパーログをさらに短い長さのロール、すなわち、販売用の標準的なペーパーロールへと細分するために紙加工業界において使用されることは知られている。ペーパーログの細分は、ペーパーログの長手方向軸に直交状態で実施される切断手段によってなされる。
【０００３】
従来のログ切断機械は、一つ以上の切断されるペーパーログが配置されるガイドチャネルを備える軸受プラットフォームと、ペーパーログを前記ガイドチャネルに沿って断続的に前進させるための手段と、切断中のペーパーログを保持するための保持ユニットと、及び回転アームに取付けられた刃を有する切断手段と、を有する。実際には、ペーパーログのそれぞれは、各ガイドチャネルに沿って前進するようになされ、保持ユニットに対応して、切断を実施しやすい位置で停止するようになされている。この作動機構により稼働する切断機械の例は、特許文献１、特許文献２及び特許文献３において開示されている。
【０００４】
切断工程においては刃が加熱されるため、刃の不要な振動の原因となる変形が起こりやすい。そのため、ペーパーログの切断が不完全になってしまう。
【０００５】
刃が加熱されることによる悪影響を最小限に軽減するために、複数の冷却システムが採用されている。
【０００６】
公知の冷却方法としては、全切断ステーションを冷却する方法があり、刃の作動領域内にオペレーターの立ち入りを防止するように設けられた安全な筐体に囲まれている。この方法は、高いエネルギー消費を意味し、したがって、現在の製造要求と一致しない。なぜなら、該方法は、刃のみならず、安全キャビンによって画定される全ての空間を冷却することを含んでいるからである。
【０００７】
他の公知の冷却方法としては、一連のノズルを刃の保持アーム上に設け、該ノズルが刃の表面に空気を噴射するようにして冷却する方法がある。この解決手段は、構造的な観点からすると極めて複雑なものである。
【先行技術文献】
【特許文献】
【０００８】
【特許文献１】ＥＰ  ９８２１０４号公報
【特許文献２】ＷＯ  ２００６／１２６２２６号公報
【特許文献３】ＵＳ  ３９０５２６０号公報
【考案の概要】
【考案が解決しようとする課題】
【０００９】
本考案の主な目的は、非常に簡易で、効果的であり且つ安価な冷却システムを提供することである。
【課題を解決するための手段】
【００１０】
上記の効果は、本考案によれば、独立請求項に記載される特徴を有する装置を提供することによって得られる。本考案のさらなる特徴は、従属請求項の主題である。
【００１１】
すなわち、本考案の請求項１に係るペーパーログ切断機械の切断手段を冷却する装置は、切断手段を包囲するチャネル（６０）を有し、前記チャネルへ冷却流体が注入され、該冷却流体が前記チャネルの内部に封止されるようにした、ペーパーログ切断機械の切断手段を冷却する装置であって、該切断手段が所定径路に沿って移動し、該冷却装置はチャネル（６０）を有し、該チャネル（６０）が切断手段を包囲し、該切断手段の軌道を包囲する封止空間を画定し、前記切断手段が、軌道刃（４）を有し、前記チャネル（６０）が、前記刃（４）が移動する軌道を包囲し、該冷却流体が、空気冷却ユニット（７）からの空気であり、該冷却流体は、多数のスリーブ（７０）によりチャネル（６０）内へ注入され、該多数のスリーブ（７０）は、該冷却ユニット（７）へそれぞれの導管（７１）によって接続されることを特徴とする。
【００１２】
本考案の請求項２に係るペーパーログ切断機械の切断手段を冷却する装置は、前記軌道刃（４）の一部（４０）が、冷却されたチャネル型空間（６０）内を常に移動することを特徴とする。
【００１３】
本考案の請求項３に係るペーパーログ切断機械の切断手段を冷却する装置は、前記チャネル（６０）が、構造体（６）によって構成され、該構造体（６）は、前記刃（４）が移動する軌道に対して平行に配向する２つの側壁体（６１）と、ログが切断準備にある領域に対応して中断される周縁エッジ部（６２）と、側壁体（６１）のそれぞれの内側にある付属体（６３）を有することを特徴とする。
【００１４】
本考案の請求項４に係るペーパーログ切断機械の切断手段を冷却する装置は、前記チャネル（６０）が、冷却流体のための出口部分を有することを特徴とする。
【００１５】
本考案に係るペーパーログ切断機械の切断手段を冷却する装置は、該冷却流体が、空気冷却ユニット（７）からの空気であり、該冷却流体は、多数のスリーブ（７０）によりチャネル（６０）内へ注入され、該多数のスリーブ（７０）は、該冷却ユニット（７）へそれぞれの導管（７１）によって接続される。
【００１６】
切断手段が移動する軌道を包囲する封止空間に冷却流体を注入することにより、前記切断手段を冷却する。
【００１７】
前記冷却流体が、前記切断手段が移動する方向に対向する前記封止空間に注入される。
【考案の効果】
【００１８】
本考案により、簡易で、安価、且つ信頼性のある、エネルギー消費の軽減及び動作の高い規則性を確実にする装置を用いて、より効果的に切断手段の冷却を提供することが可能になる。
【００１９】
さらに、刃の表面部は、比較的瞬時に冷却される。
【００２０】
本考案のこれらの及びさらなる利点並びに特徴は、本考案の実践的な例示として与えられるが、限定的な意味で捉えられるべきではない以下の説明を添付の図面と合わせて読むことで当業者に最適に理解されるであろう。
【図面の簡単な説明】
【００２１】
【図１】切断ステーションに対応する、切断手段が軌道刃を有するペーパーログ切断機械の概略正面図である。
【図２】図１の線Ａ−Ａに沿った概略断面図である。
【図３】図２の拡大詳細部である。
【図４】破線部が即時に冷却される刃の表面を表す図１の拡大詳細部である。
【考案を実施するための形態】
【００２２】
本考案による装置は、たとえば、水平な軸受基部又はプラットフォーム（２）上でログ（１）をガイドし、前進させる手段と、それぞれのログをその長手方向軸に対して直交状態で切断するために、機械（３）の各々のステーション（ＳＴ）に配置され、作用する切断手段と、を有するペーパーログ切断機械において用いることができる。
【００２３】
図１に示される実施例において、前記切断手段は、アーム（５）に取付けられた軌道刃（４）を有し、該アーム（５）は、所定の半径を有する円形軌道に沿って刃（４）を移動させる。刃（４）の回転ごとに、保持機構（図示せず）により切断ステーション（ＳＴ）で保持されるログ（１）が円形軌道上に位置決めされ、したがって、ログをその長手方向軸に直交状態で切断する。切断ごとに、ログ（１）がプラットフォーム（２）に沿って進められ、これにより得られた小さなロールが前に押され、該ログが次の切断のために準備される。
【００２４】
上記したタイプのペーパーログ切断機械は、紙加工業者に知られている。したがって、さらなる詳細については記載されない。本考案による装置は、構造体（６）を有し、該構造体の壁体は、刃（４）が移動する軌道を包囲し、且つ冷却流体が注入される空間（６０）を画定する。
【００２５】
実際には、添付図面に示される実施例によると、前記構造体（６）は、後半部でアーム（５）の軸（ｘ）の周りに回転する際の刃（４）を包囲する、（切断位置にペーパーログを配置できるようにするための）下部抑止部材を備えた支持手段によって構成されている。したがって、アーム（５）によって駆動される刃（４）の軌道を包囲する空間を画定し、該空間に冷却流体が注入される。
【００２６】
言い換えれば、該構造体（６）は、冷却流体が注入されるチャネルを画定し、該封止された冷却流体は刃（４）が移動する軌道に近接する。刃（４）の部分は常に前記チャネルの内側にある。図４において、斜線部（４０）は即時に冷却される刃（４）の表面部分を表す。前記軌道を移動する刃（４）を包囲するチャネル内に封止された冷却流体の作用を受ける刃（４）の上記部分（４０）が常に存在することに留意されたい。
【００２７】
添付図面に示される実施形態を参照すると、前記構造体（６）は、２つの側壁体（６１）と、周縁エッジ部（６２）と、付属体（６３）と、を有する。該２つの側壁体（６１）は、刃（４）及び刃が移動する軌道に対して平行に配向されている。前記周縁エッジ部（６２）は、プラットフォーム（２）に対応して抑止され、すなわち、ログが切断部分にある領域に対応して抑止されている。該付属体（６３）は、側壁体（６１）のそれぞれの内側に設けられ、構造体自体の内部に向かって配向され、刃のそれぞれの側面に接触することなく構造体の横幅部分を局所的に少なくしている。
【００２８】
このようにして、冷却流体は、刃（４）の側面部と、前記付属体（６３）との間を流れてチャネル型空間（６０）から排出されることができる。図１に示すように、前記壁体（６１）のそれぞれは、曲線状の内側部（６４）を有し、該内側部（６４）の半径は、刃（４）を支持するアーム（５）の長さと等しく、該内側部（６４）はその下部においてログ（１）をプラットフォーム（２）で切断するための正しい位置になるように抑止される。該内側部（６４）は、壁体（６１）の外側部（６５）と該内側部（６４）とを接続する壁体（６１）の実質的に垂直の部分（６６）によって下方に延伸される。
【００２９】
実際には、壁体（６１）のそれぞれは、アーム（５）によって移動される刃（４）の軌道を包囲する外側部（６５）と、アーム（５）が回転する範囲の領域を包括する内側凹部（６４）と、前記外側部と内側部を接続する部分（６６）と、を備え、前記部分（６６）は、プラットフォーム（２）の側方にある。前記内側部（６４）の凹面は、プラットフォーム（２）、すなわち、該プラットフォーム（２）上に配置されたログ（１）に面している。
【００３０】
軸（ｘ）周りに回転する間、アーム（５）は、壁体（６１）の曲線状内側部（６４）によって、且つ部分的にはプラットフォーム（２）によって周辺的に画定される領域内を移動する。
【００３１】
前記刃（４）は、アーム（５）の自由端に取付けられるので、該刃（４）の一部（４０）は、常に壁体（６１）によって画定される冷却されたチャネル型空間（６０）内を移動する。
【００３２】
図１において、矢印「Ｄ」はアーム（５）の回転を示す。
【００３３】
たとえば、冷却流体は冷却ユニット（７）からくる空気でもよく、それぞれの導管（７１）を介して冷却ユニット（７）に接続された複数のスリーブ（７０）を通って空間（６０）に注入されるようにすればよい。
【００３４】
冷却ユニット（７）は市販のいかなるタイプのユニットでもよい。
【００３５】
図１において、矢印「Ｆ」は、構造体（６）によって画定される空間（６０）に入る冷却空気の流れを示す。図１に示されるように、該冷却流体は、アーム（５）によって駆動される刃（４）に該流体を向けながら空間（６０）に入ることができる。
【００３６】
それぞれの導管（７２）を通る冷却ユニット（７０）を伴い、空間（６０）に接続する流体再循環ラインを設けてもよい。
【００３７】
本考案による作動方法は、刃が移動する軌道を包囲する封止空間に冷却流体を注入することによって、ペーパーログを切断するために用いられる刃を冷却する手法を提供する。
【００３８】
本考案により、刃（４）は冷却空間を移動し、その空間を小さくすることによって、エネルギー消費の低減が行われる。
【００３９】
実際には、全ての構成の詳細は、形状、寸法、要素の配置、使用材料の性質に関する限り、採用されている解決策の概念の範囲から逸脱せずに、それによって、本考案に授与される保護の限定内にありながら任意の同等な装置に変更することができる。
【符号の説明】
【００４０】
１     ログ
２     プラットフォーム
３     機械
４     軌道刃
５     アーム
６     構造体
７     冷却ユニット
４０   斜線部
６０   空間（チャネル）
６１   側壁体
６２   周縁エッジ部
６３   付属体
６４   内側部（内側凹部）
６５   外側部
６６   部分
７０   スリーブ（冷却ユニット）
７１   導管
７２   導管
ＳＴ   ステーション
ｘ     軸
矢印Ｄ アームの回転
矢印Ｆ 冷却空気の流れ
【図１】
0003182984.tif 000003
【図２−３】
0003182984.tif 000004
【図４】
0003182984.tif 000005
【手続補正書】
【提出日】平成25年2月22日(2013.2.22)
【手続補正１】
【補正対象書類名】図面
【補正対象項目名】図２
【補正方法】変更
【補正の内容】
【図２】
0003182984.tif 000006
【手続補正２】
【補正対象書類名】図面
【補正対象項目名】図３
【補正方法】変更
【補正の内容】
【図３】
0003182984.tif 000007